(57)【要約】【課題】本発明の課題は、使用者が塵埃収容箱を容易かつ安全に取り外すことができる空気清浄機構を提供することである。【解決手段】本発明に係る空気清浄機構２０は、本体２２および塵埃収容箱２３を備える。本体は、塵埃捕集部２１および被係止部Ｂｌ，Ｂｃを有する。塵埃収容箱は、塵埃収容部２３１、係止部２３３ｆおよび操作部２３３ａを有する。塵埃収容部は、塵埃捕集部に捕集された塵埃を収容するためのものである。係止部は、本体の被係止部に係止可能である。操作部は、係止部が被係止部に係止された状態において操作方向に少なくとも下方向成分が含まれるようになる。そして、この塵埃収容箱は、下方向成分が含まれる操作方向に沿って操作部が操作されたとき、係止部が被係止部から外れて本体から脱離可能な状態となる。【選択図】図８
2018200170.tif 000002
【特許請求の範囲】
【請求項１】
塵埃捕集部と、
前記塵埃捕集部の一部に対向するように配設される塵埃除去部と、
前記塵埃捕集部と連結される被駆動体と、
前記被駆動体を着脱自在に支持する支持部と、
前記被駆動体と着脱自在に連結され、前記塵埃除去部が前記塵埃捕集部の一部に連続的に対向するように前記被駆動体を駆動させる駆動源と
を備える、空気清浄機構。
【請求項２】
前記被駆動体は、係合部を有するローラであり、
前記駆動源は、前記ローラの片側の軸部分である第１軸部分と着脱自在に連結され、
前記支持部は、前記第１軸部の反対側の軸部分である第２軸部分を着脱自在に支持する請求項１に記載の空気清浄機構。
【請求項３】
前記ローラは、互いの回転軸が同一線上にのり且つ前記第２軸部分同士が対向するように２つ配設されており、
前記支持部は、１つだけ存在し、２つの前記第２軸部分を共に支持する
請求項２に記載の空気清浄機構。
【請求項４】
前記第１軸部分と前記第２軸部分とは、対称の関係にある
請求項３に記載の空気清浄機構。
【請求項５】
前記第１軸部分および前記第２軸部分は、それぞれ、支持軸部分と、前記支持軸部分の先端側に形成される連結軸部分とを有する
請求項４に記載の空気清浄機構。
【発明の詳細な説明】
【技術分野】
【０００１】
本発明は、清掃機能付きの空気清浄機構に関する。
【背景技術】
【０００２】
過去に以下の従来例に示すような空気調和機が提案されている（例えば、特開２０１０−１９７０１４号公報等参照）。
（従来例）
フィルタに付着した塵埃を除去する清掃ユニットを備えた空気調和機であって、
前記清掃ユニットは、
前記フィルタが移動するフィルタレールを有する支持体と、
前記支持体に着脱自在に取り付けられ、塵埃掻き取り部と、前記塵埃掻き取り部の下方に取り付けられる塵埃回収箱とを有し、当該空気調和機の前面部に左右方向に取り付けられる塵埃回収箱組立と、を備え、
前記塵埃掻き取り部は、左右方向の一端に前記支持体の取り付け穴に係合する軸を有するとともに、左右方向の他端に前記支持体の固定穴に係合し、バネにより左右方向に進退可能なストッパーを有し、
前記ストッパーの先端の前記支持体側の面に、前記支持体の当接部に当接する面取り部が形成され、前記ストッパーが前記支持体側に押されることにより前記面取り部が前記支持体の当接部に当接して前記バネが縮み、前記ストッパーが内側に移動し、その後前記支持体の固定穴に係合することを特徴とする空気調和機。
【先行技術文献】
【特許文献】
【０００３】
【特許文献１】特開２０１０−１９７０１４号公報（要約，図６等参照）
【特許文献２】特開２０１０−２４９３５８号公報（要約，図６等参照）
【発明の概要】
【発明が解決しようとする課題】
【０００４】
ところで、上記従来例に示されるような空気調和機において、その使用者が塵埃回収箱の塵埃を捨てるために支持体から塵埃回収箱組立を取り外すためには、使用者は、固定穴に指を挿入する等してストッパーをバネの弾性力に抗してバネ側に移動させてストッパー７の先端が固定穴の内側に位置する状態にして、塵埃回収箱組立を手前に引く必要がある。すなわち、この空気調和機において支持体から塵埃回収箱組立を取り外すためには、使用者は両手で比較的煩雑な作業を行う必要があり面倒である。また、通常、空気調和機の室内機は比較的高所に設置されているため、両手が必要となる作業は比較的危険である。
【０００５】
本発明の課題は、比較的高所に設置されている場合であっても、使用者が従前よりも容易かつ安全に塵埃収容箱（上述の「塵埃回収箱組立」に相当。）を取り外すことができる空気清浄機構を提供することである。
【課題を解決するための手段】
【０００６】
本発明の第１局面に係る空気清浄機構は、本体および塵埃収容箱を備える。本体は、塵埃捕集部および被係止部を有する。なお、この本体には、熱交換器および送風機や、加湿器、除湿器等が搭載されていてもよい。すなわち、この空気清浄機構は、空気調和機（エアコンディショナー）や、加湿機能付きの空気清浄機、除湿機能付きの空気清浄機に組み込まれてもよい。また、この本体は、他の構成要素部品を搭載せず、単独の装置として存在してもよい。塵埃収容箱は、塵埃収容部、係止部および操作部を有する。塵埃収容部は
、塵埃捕集部に捕集された塵埃を収容するためのものである。係止部は、本体の被係止部に係止可能である。被係止部および係止部は一対のみ設けられてもよいし、複数対設けられてもよい。また、被係止部に係止部が係止される際、たわみ係止されてもよい。操作部は、係止部が被係止部に係止された状態において操作方向に少なくとも下方向成分が含まれるようになる。なお、操作部の操作方向は下方向成分のみで構成されていてもかまわない。また、操作部は２つ以下であることが好ましく、１つであるのがより好ましい。そして、この塵埃収容箱は、下方向成分が含まれる操作方向に沿って操作部が操作されたとき、係止部が被係止部から外れて本体から脱離可能な状態となる。
【０００７】
本発明の第２局面に係る空気清浄機構は第１局面に係る空気清浄機構であって、被係止部は開口を有する。係止部は、棒体である。そして、この係止部は、係止部が被係止部に係止された状態において下方向成分が含まれる操作方向に沿って操作部が操作されたときに、開口から抜け出て、被係止部から外れる。なお、この局面に係る空気清浄機構では、被係止部（開口）および係止部は、少なくとも二対存在するのが好ましい。かかる場合、係止部は、塵埃収容箱の両側面に存在するのが好ましい。
【０００８】
本発明の第３局面に係る空気清浄機構は第２局面に係る空気清浄機構であって、係止部は、塵埃収容箱の外側に向かって付勢されている。そして、この係止部の先端は、塵埃収容箱の本体への取付方向に向かうに従って内側に傾斜している。
【０００９】
本発明の第４局面に係る空気清浄機構は第１局面から第３局面のいずれか１つの局面に係る空気清浄機構であって、塵埃収容箱は、塵埃除去部をさらに有する。塵埃除去部は、係止部が被係止部に係止された状態において塵埃捕集部に対向する。なお、この塵埃除去部は、例えば、ブラシ付ローラや吸引器等であって、塵埃捕集部に捕集された塵埃を塵埃収容部に移動させることによって、塵埃捕集部から塵埃を除去するものである。そして、係止部は、係止部が被係止部に係止された状態において塵埃除去部よりも上側に位置する。
【００１０】
本発明の第５局面に係る空気清浄機構は第１局面から第４局面のいずれか１つの局面に係る空気清浄機構であって、本体は底支持部をさらに有する。底支持部は、係止部が被係止部に係止された状態において塵埃堆積箱の底を支持する。そして、この底支持部には、少なくとも塵埃堆積箱の本体対向側と反対側の底面の一部が露出するように切欠きが設けられる。
【００１１】
本発明の第６局面に係る空気清浄機構は、塵埃捕集部、塵埃除去部、被駆動体、支持部および駆動源を備える。塵埃除去部は、塵埃捕集部の一部に対向するように配設される。なお、この塵埃除去部は、第４局面に係る空気清浄機構の説明において説明された通りである。被駆動体は、塵埃捕集部と連結される。なお、この塵埃捕集部は、被駆動体から脱着可能とされるのが好ましい。支持部は、被駆動体を着脱自在に支持する。駆動源は、被駆動体と着脱自在に連結される。そして、この駆動源は、塵埃除去部が塵埃捕集部の一部に連続的に対向するように被駆動体を駆動させる。
【００１２】
本発明の第７局面に係る空気清浄機構は第６局面に係る空気清浄機構であって、被駆動体は、係合部を有するローラである。なお、ここにいう「ローラ」とは、例えば、ブラシ付ローラ等であって、塵埃捕集部により捕集された塵埃を塵埃捕集部から除去するためのローラである。駆動源は、ローラの片側の軸部分である第１軸部分と着脱自在に連結される。支持部は、第１軸部の反対側の軸部分である第２軸部分を着脱自在に支持する。
【００１３】
本発明の第８局面に係る空気清浄機構は第７局面に係る空気清浄機構であって、ローラは、互いの回転軸が同一線上にのり且つ第２軸部分同士が対向するように２つ配設されて
いる。そして、支持部は、１つだけ存在し、２つの第２軸部分を共に支持する。
【００１４】
本発明の第９局面に係る空気清浄機構は第８局面に係る空気清浄機構であって、第１軸部と第２軸部とは対称の関係にある。
【００１５】
本発明の第１０局面に係る空気清浄機構は第９局面に係る空気清浄機構であって、第１軸部および第２軸部は、それぞれ、支持軸部分および連結軸部分を有する。連結軸部分は、支持軸部分の先端側に形成される。なお、支持軸部分は、連結軸部分よりもローラの本体部分に近い位置に形成される。
【発明の効果】
【００１６】
上述の通り、本発明の第１局面に係る空気清浄機構では、下方向成分が含まれる操作方向に沿って操作部が操作されたとき、係止部が被係止部から外れて塵埃収容箱が本体から脱離可能な状態となる。このため、使用者は、一方の手で自身の体を支えながら操作部に他方の手をかけて下方または斜め前下方に引くだけで塵埃収容箱を本体から取り外すことができる。したがって、この空気清浄機構が比較的高所に設置されている場合であっても、使用者は、従前よりも容易かつ安全に塵埃収容箱を取り外すことができる。
【００１７】
上述の通り、本発明の第２局面に係る空気清浄機構では、係止部が被係止部に係止された状態において下方向成分が含まれる操作方向に沿って操作部が操作されたときに、係止部が開口から抜け出て、被係止部から外れる。このため、この空気清浄機構では、比較的シンプルな構造で本願発明の課題を克服することができ、コスト増加を抑制することができる。
【００１８】
上述の通り、本発明の第３局面に係る空気清浄機構では、係止部が塵埃収容箱の外側に向かって付勢されており、係止部の先端が、塵埃収容箱の本体への取付方向に向かうに従って内側に傾斜している。このため、この空気清浄機構では、使用者が塵埃収容箱を本体に取り付ける際、使用者は操作部を操作せずに塵埃収容箱を本体の取付位置に押し込むだけで塵埃収容箱を本体に取り付けることができる。
【００１９】
上述の通り、本発明の第４局面に係る空気清浄機構では、係止部が被係止部に係止された状態において係止部が塵埃除去部よりも上側に位置する。このため、空気清浄機構では、係止部が塵埃除去部よりも下側に位置する場合に比べて、塵埃除去部が安定的に係止される。また、かかる場合、塵埃除去部よりも下側にさらに係止構造が設けられる場合は、塵埃除去部がさらに安定的に係止されることになり、好ましい。
【００２０】
上述の通り、本発明の第５局面に係る空気清浄機構では、係止部が被係止部に係止された状態において本体の底支持部が塵埃堆積箱の底を支持する。そして、この底支持部には、少なくとも塵埃堆積箱の本体対向側と反対側の底面の一部が露出するように切欠きが設けられる。このため、この空気清浄機構では、使用者は、本体から塵埃収容箱を取り外す際、例えば、親指で塵埃収容箱の底を支えながら他の指で操作部を操作方向に移動させることができる。したがって、この空気清浄機構では、使用者は、塵埃収容箱を掴んだままの状態で本体から塵埃収容箱を取り外すことができる。
【００２１】
上述の通り、本発明の第６局面に係る空気清浄機構では、支持部が被駆動体を着脱自在に支持すると共に駆動源が被駆動体と着脱自在に連結される。このため、この空気清浄機構では、被駆動体を取り外して洗面台等で洗浄等することができる。なお、従前の空気清浄機構（例えば、特開２０１０−２４９３５８号公報等参照）では、使用者が被駆動体を取り外することができず、塵埃で汚れた被駆動体を洗浄するためには、使用者は、椅子等の上に上がって濡れ雑巾等で被駆動体を拭くしかなかった。
【００２２】
上述の通り、本発明の第７局面に係る空気清浄機構では、駆動源が、ローラの片側の軸部分である第１軸部分と着脱自在に連結されると共に、支持部が、第１軸部の反対側の軸部分である第２軸部分を着脱自在に支持する。このため、この空気清浄機では、ローラを取り外して洗浄等することができる。
【００２３】
上述の通り、本発明の第８局面に係る空気清浄機構では、互いの回転軸が同一線上にのり且つ第２軸部分同士が対向するように２つのローラが配設されている。そして、この空気清浄機構では、支持部が１つだけ存在し、その支持部により２つの第２軸部分が共に支持される。このため、この空気清浄機構では、３つの操作、すなわち、片方のローラを駆動源に装着する操作、もう片方のローラを反対側の駆動源に装着する操作、前述の２つのローラを支持部に装着する操作を行うことによって、２つのローラを本体に装着することができる。このため、空気清浄機構では、使用者のローラ装着の手間を軽減することができる。
【００２４】
上述の通り、本発明の第９局面に係る空気清浄機構では、ローラの第１軸部と第２軸部とは対称の関係にある。このため、この空気清浄機構では、使用者は、ローラの取付方向を考慮することなく容易にローラを支持部および駆動源に装着することができる。
【００２５】
上述の通り、本発明の第１０局面に係る空気清浄機構では、第１軸部および第２軸部が、それぞれ、支持軸部分および連結軸部分を有する。このため、空気清浄機構では、ローラおよびその受け部の設計の自由度が高くなる。
【図面の簡単な説明】
【００２６】
【図１】本発明の第１の実施の形態に係る空気調和機の室内機の外観斜視図である。
【図２】本発明の第１の実施の形態に係る空気調和機の室内機の縦断面図である。
【図３】本発明の第１の実施の形態に係る空気調和機の室内機の分解斜視図である。
【図４】本発明の第１の実施の形態に係る空気調和機の室内機の制御系を模試的に示す図である。
【図５】本発明の第１の実施の形態に係る空気調和機の室内機を構成する集塵フィルタユニットの外観斜視図である。
【図６】本発明の第１の実施の形態に係る空気調和機の室内機を構成する集塵フィルタユニットの正面図である。
【図７】本発明の第１の実施の形態に係る空気調和機の室内機を構成する集塵フィルタユニットの一部分解斜視図である。
【図８】本発明の第１の実施の形態に係る空気調和機の室内機を構成する集塵フィルタユニットの下部の部分断面図である。
【図９】本発明の第１の実施の形態に係る集塵フィルタユニットを構成する塵埃収容箱の正面側の外観斜視図である。
【図１０】図８のＡ部分の拡大図である。
【図１１】前面カバーを取り外した状態の塵埃収容箱の斜視図である。
【図１２】前面カバーを取り外した状態の塵埃収容箱の正面図であって、操作レバー部が下方に押し下げられていない状態すなわち操作レバー部が上方に付勢されている状態を示す図である。
【図１３】前面カバーを取り外した状態の塵埃収容箱の正面図であって、操作レバーが下方に押し下げられた状態を示す図である。
【図１４】本発明の第１の実施の形態に係る集塵フィルタユニットを構成する開閉式軸受けが開状態とされたときの図である。
【図１５】本発明の第１の実施の形態に係る集塵フィルタユニットを構成する開閉式軸受けからフィルタ駆動ローラを取り外すときの図である。
【図１６】本発明の第１の実施の形態に係るフィルタ駆動ローラの正面図である。
【図１７】本発明の第１の実施の形態に係るフィルタ駆動ローラを、連結片を介して駆動モータに取り付ける際の斜視図である。
【発明を実施するための形態】
【００２７】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２８】
−第１の実施の形態−
＜空気調和機の室内機の全体構成＞
先ず、本実施の形態にかかる空気調和機の室内機（以下、単に「室内機」と称する。）の全体構成について説明する。
【００２９】
本実施の形態にかかる室内機１は、図１に示されるように、略直方体状の形状を有しており、通常、部屋の壁の上部に掛けられて使用される。この室内機１には、液側連絡配管（図示せず）およびガス側連絡配管（図示せず）を介して室外機（図示せず）が接続されている。これにより、この室内機１と室外機とは、冷媒回路（図示せず）を構成し、その結果、空気調和機すなわちエアコンディショナーとして機能する。なお、本願発明は室外機および冷媒回路との関連性が極めて希薄であるため、その説明を省略する。
【００３０】
本実施の形態にかかる室内機１は、図１〜図３に示されるように、主に、筐体１０、集塵フィルタユニット２０、空気調和ユニット３０および電装品ユニット４０から構成されている。以下、これらの要素部品についてそれぞれ詳述する。
【００３１】
（１）筐体
筐体１０は、略直方体状の樹脂成形品であって、図１〜図３に示されるように、主に、前面パネル１１、本体パネル１２および背面パネル１３から構成されており、その内部に集塵フィルタユニット２０、空気調和ユニット３０および電装品ユニット４０を収容している。図２および図３に示されるように、本体パネル１２は、上方に開口している。このため、集塵フィルタユニット２０の上側は、筐体１０で覆われておらず、露出している。また、この本体パネル１２の下部には、図２および図３に示されるように、フラップ１５が連結されている。このフラップ１５は、運転停止時、筐体１０の底板を構成している。なお、このフラップ１５には、駆動モータ１５Ｍ（図４参照）が連結されている。そして、この駆動モータ１５Ｍは、通信線Ｌｃ（図４参照）を介して電装品ユニット４０に通信接続されており、運転中、電装品ユニット４０からの制御信号に従ってフラップ１５の回動角度を調節する。
【００３２】
（２）空気調和ユニット
空気調和ユニット３０は、図２および図３に示されるように、主に、室内側熱交換器３１、クロスフローファン３２、温度検出器ＴＤ（図４参照）、室内側液管（図示せず）、室内側ガス管（図示せず）から構成されている。以下、これらの要素部品について詳述する。
【００３３】
（２−１）室内側熱交換器
室内側熱交換器３１は、図２に示されるように、複数の熱交換器を、クロスフローファン３２を覆う屋根のように組み合わせたものである。なお、各熱交換器は、左右両端で複数回折り返された伝熱管（図示せず）に多数の放熱フィン（図示せず）が取り付けられたものであって、冷房運転時には蒸発器として機能し、暖房運転時には凝縮器として機能する。
【００３４】
（２−２）クロスフローファン
クロスフローファン３２は、駆動モータ３２Ｍ（図４参照）に連結されている。そして、このクロスフローファン３２は、運転中、その駆動モータ３２Ｍによって回転駆動され、室内の空気を筐体１０に吸い込んで室内側熱交換器３１に供給すると共に、室内側熱交換器３１で熱交換された空気を室内に送出する。なお、この駆動モータ３２Ｍは、通信線Ｌｃ（図４参照）を介して電装品ユニット４０に通信接続されており、電装品ユニット４０から送信される制御信号に従って動作する。
【００３５】
（２−３）室内側液管
室内側液管は、室内側熱交換器３１の液側部分から延びる配管である。この室内側液管は室内側ガス管よりも細い管であって、運転時、この室内側液管には、液冷媒が流れる。この室内側液管は、上述の通り、液側連絡配管を介して室外側液管（図示せず）に接続されている。
【００３６】
（２−４）室内側ガス管
室内側ガス管は、室内側熱交換器３１のガス側部分から延びる配管である。室内側ガス管は室内側液管よりも太い管であって、運転時、この室内側ガス管には、ガス冷媒が流れる。この室内側ガス管は、上述の通り、ガス側連絡配管を介して室外側ガス管（図示せず）に接続されている。
【００３７】
（２−５）温度検出器
温度検出器ＴＤは、サーミスタである。温度検出器ＴＤは、室内側熱交換器３１や、筐体内の吸込口付近等に配置されている。温度検出器ＴＤは、通信線Ｌｃ（図４参照）を介して電装品ユニット４０に通信接続されており、計測温度情報を定期的に電装品ユニット４０に送信している。
【００３８】
（３）集塵フィルタユニット
集塵フィルタユニット２０は、図５〜図７に示されるように、主に、集塵フィルタ２１、支持本体２２、塵埃収容箱２３、フィルタ駆動ローラ２４、駆動モータ２４Ｍ、駆動モータ２３Ｍ、開閉式軸受け２５および動力中継部２６から構成されている。なお、本実施の形態に係る室内機１において、集塵フィルタ２１、塵埃収容箱２３、フィルタ駆動ローラ２４および駆動モータ２４Ｍは、図５〜図７に示されるように、左右に１つずつ配設されている。また、駆動モータ２３Ｍは、図５〜図７に示されるように、支持本体２２の右側壁部２２５（後述）に１つだけ配設されている。さらに、開閉式軸受け２５および動力中継部２６は、図６に示されるように、支持本体２２の下部中央付近にそれぞれ一つだけ配設されている。以下、これらの要素部品について詳述する。
【００３９】
（３−１）集塵フィルタ
集塵フィルタ２１は、図５および図６に示されるように、主に、枠体２１１およびエアフィルタ（後述の格子枠部２１１ｂの開口部分に位置するが、説明の便宜上図示せず）から構成されており、支持本体２２に着脱自在に支持される。枠体２１１は、図５および図６に示されるように、主に、大外枠部２１１ａおよび格子枠部２１１ｂから形成されている。大外枠部２１１ａは、略長方形状の枠形の部位である。図８に示されるように、この大外枠部２１１ａの左右の縁部分の下面には、ラック部２１１ｃが形成されている。そして、この集塵フィルタ２１が支持本体２２に取り付けられる際、フィルタ駆動ローラ２４のピニオンギア部２４２（後述）にこのラック部２１１ｃが嵌め合わせられる。すなわち、駆動モータ２４Ｍによってフィルタ駆動ローラ２４が回転駆動されると、平面視では集塵フィルタ２１が支持本体２２の案内部ＧＤ（後述）に沿って前方または後方に移動し、正面視では下方または上方に移動する。なお、この集塵フィルタ２１の移動態様について
は後に詳述する。格子枠部２１１ｂは、大外枠部２１１ａの内側に形成されており、エアフィルタを強固に支持している。
【００４０】
（３−２）支持本体
支持本体２２は、図５〜図８に示されるように、集塵フィルタ２１のみならず、塵埃収容箱２３、駆動モータ２４Ｍ、駆動モータ２３Ｍ、開閉式軸受け２５および動力中継部２６をも支持する部材であって、図５〜図８に示されるように、主に、本体部２２１、格子リブ２２２、左側壁部２２３、中央壁部２２４、右側壁部２２５および底支持部２２６から構成されている。
【００４１】
本体部２２１は、図５および図７に示されるように、手前側から奥側に向かうに従って下方に湾曲する肉厚の樹脂製板状体であって、格子リブ２２２、左側壁部２２３、中央壁部２２４、右側壁部２２５および底支持部２２６を設けるための基体として機能している。
【００４２】
格子リブ２２２は、図５および図７に示されるように、格子状の補強リブであって、本体部２２１の上面に沿って形成されている。
【００４３】
左側壁部２２３は、図７に示されるように、本体部２２１の左側縁部分から前方に向かって延びる側壁部分である。そして、この左側壁部２２３の右側すなわち内側には、図７に示されるように、案内部ＧＤが形成されている。この案内部ＧＤは、駆動モータ２４Ｍによって集塵フィルタ２１が移動させる際において、集塵フィルタ２１を規定の方向に沿って移動させるために形成されている。また、この左側壁部２２３は、その左側すなわち外側において駆動モータ２４Ｍを固定的に支持している。さらに、この左側壁部２２３には、塵埃収容箱２３の係合ピン部２３３ｆ（後述）を受け入れ可能な孔Ｂｌが形成されている。
【００４４】
右側壁部２２５は、図７に示されるように、本体部２２１の右側縁部分から前方に向かって延びる側壁部分である。そして、この右側壁部２２５の左側すなわち内側には、左側壁部２２３と同様に案内部（図示せず）が形成されている。なお、この案内部は、左側壁部２２３に形成される案内部ＧＤと同一の形状を呈している。また、この右側壁部２２５は、その右側すなわち外側において駆動モータ２３Ｍおよび駆動モータ２４Ｍを固定的に支持している。なお、この右側壁部２２５において、駆動モータ２３Ｍは、図５〜図７に示されるように、駆動モータ２４Ｍよりも下側に配設されている。さらに、この右側壁部２２５には、塵埃収容箱２３の係合ピン部２３３ｆ（後述）を受け入れ可能な孔（図示せず）が形成されている。
【００４５】
中央壁部２２４は、図７に示されるように、本体部２２１の幅方向略中央部分から前方に向かって延びる壁部分である。そして、この中央壁部２２４の両側には、図７に示されるように、案内部ＧＤが形成されている。なお、これらの案内部ＧＤは、左側壁部２２３の案内部ＧＤおよび右側壁部２２５の案内部と同一の形状を呈している。そして、左側の案内部は左側壁部２２３の案内部ＧＤと互いに対向し、右側の案内部ＧＤは右側壁部２２５の案内部と互いに対向している。すなわち、２つの集塵フィルタ２１のうち一方は中央壁部２２４の左側の案内部と左側壁部２２３の案内部ＧＤとによって案内され、他方は中央壁部２２４の右側の案内部ＧＤと右側壁部２２５の案内部とによって案内されることになる。
【００４６】
底支持部２２６は、図７に示されるように、本体部２２１の最下端部分から前方に向かって延びる棚板部分であって、主に、棚板部２２６ａおよび爪部２２６ｂから形成されている。なお、この底支持部２２６は、塵埃収容箱２３の底を支持する役目を担っている。
棚板部２２６ａには、図７に示されるように、その右端（または左端）から４分の１および４分の３の位置（棚板部２２６ａを右側領域と左側領域に分けて考えた場合は、各領域の２分の１の位置すなわち中央部分）の手前側に切欠きＲＣが形成されている。なお、この切欠きＲＣは、塵埃収容箱２３が支持本体２２に装着された状態において塵埃収容箱２３の本体部対向側と反対側の底面の一部が底面視において露出するように形成されている。爪部２２６ｂは、図７に示されるように、棚板部２２６ａの上面から上方に僅かに突起する矩形の突起部分であって、各切欠きＲＣの両脇に配設されている。なお、この爪部２２６ｂは、塵埃収容箱２３の左右の位置ずれを防止する役目を担っている。
【００４７】
（３−３）塵埃収容箱
塵埃収容箱２３は、図８から図１３に示されるように、主に、塵埃収容箱部２３１、機構収容部２３２、上下回動レバー機構２３３、ブラシ付ローラ２３４およびサイドギア部２３５から構成されている。
【００４８】
塵埃収容箱部２３１は、図８に示されるように、上方に開口する略直方体形の箱部分であって、ブラシ付ローラ２３４によって掻き落とされる集塵フィルタ上の塵埃を収容する役目を担っている。なお、この塵埃収容箱部２３１は、堆積する塵埃を使用者が外から認識することができるように透明または半透明な樹脂によって形成されている。また、図８に示されるように、この塵埃収容箱部２３１の開口の前半分は、水平板部２３１ａによって遮蔽されている。また、この塵埃収容箱部２３１の底壁２３１ｂには、上述の支持本体２２の底支持部２２６に設けられる爪部２２６ｂを受けるための爪受け部２３１ｃが形成されている（図８参照）。
【００４９】
機構収容部２３２は、図８に示されるように、塵埃収容箱部２３１の前側部分の上方に位置する略角筒形状の部位であって、上下回動レバー機構２３３を収容すると共に支持する役目を担っている。なお、この機構収容部２３２は、図８に示されるように、中間壁部Ｗｉを介して塵埃収容箱部２３１の前側上端に結合されている。そして、この機構収容部２３２および中間壁部Ｗｉは、図８〜図１３に示されるように、主に、枠体部２３２Ａ、上壁部２３２Ｂおよび前面カバー２３２Ｃから形成されている。枠体部２３２Ａは、文字通り、枠形の部位であって、図８〜図１３に示されるように、塵埃収容箱部２３１の前側上端から上方に向かって延びている。上壁部２３２Ｂは、枠体部２３２Ａの内側に形成される屈曲壁部であって、図８に示されるように、主に、水平壁部Ｗｈ、垂直壁部Ｗｖ、底壁部Ｗｂおよび後壁部Ｗｒから形成されている。水平壁部Ｗｈは、図８に示されるように、枠体部２３２Ａの下辺部分上端から僅かに後方に向かって延びている。垂直壁部Ｗｖは、水平壁部Ｗｈの後端から上方に向かって延びている。なお、この垂直壁部Ｗｖは、図８に示されるように、前面カバー２３２Ｃと共に中間壁部Ｗｉを構成している。底壁部Ｗｂは、図８に示されるように、垂直壁部Ｗｖの上端から後方に向かって延びており、機構収容部２３２の底壁を構成している。後壁部Ｗｒは、底壁部Ｗｂの後端から上方に向かって枠体部２３２Ａの上辺部分の奥側端まで延びており、機構収容部２３２の後壁を構成している。また、この後壁部Ｗｒの表側には、図８、図１１、図１２および図１３に示されるように、上下回動レバー機構２３３の上下回動レバー２３３Ａ（後述）の回転シャフト部２３３ｂ（後述）およびロックユニット２３３Ｂ（後述）を支持するための支持爪部Ｎｓが多数形成されている共に、上下回動レバー機構２３３のコイルバネＣＳの片側（内側）の端を支持するバネ支持ピン部２３２ａ（図１３参照）が左右一対形成されている。前面カバー２３２Ｃは、図８に示されるように、断面逆Ｌ字の板状体であって、枠体部２３２Ａに嵌め込まれた状態において、垂直壁部Ｗｖと共に中間壁部Ｗｉを構成すると共に、機構収容部２３２の前壁および天壁の一部を構成する。また、この前面カバー２３２Ｃには、図９に示されるように、中央部の角部分に、上下回動レバー２３３Ａの操作レバー部２３３ａ（後述）を露出させるための開口ＯＰが形成されている。なお、この開口ＯＰは、操作レバー部２３３ａが機能を果たすのに十分な上下動をすることができる形状および大
きさとされている。また、図８に示されるように、この前面カバー２３２Ｃには、その背面に、上下回動レバー機構２３３の上下回動レバー２３３Ａ（後述）の回転シャフト部２３３ｂ（後述）を支持するための支持爪部Ｎｃが形成されている。すなわち、上下回動レバー機構２３３の上下回動レバー２３３Ａ（後述）の回転シャフト部２３３ｂ（後述）は、上述の後壁部Ｗｒの支持爪部Ｎｓと前面カバー２３２Ｃの支持爪部Ｎｃによって挟み込まれるようにして支持されている（図８参照）。なお、図９〜図１２に示されるように、この機構収容部２３２は側面側が開口しており、この開口Ｏｒを通じて上下回動レバー機構２３３のロックユニット２３３Ｂ（後述）の係合ピン部２３３ｆ（後述）が出没することができるようになっている（図１２および図１３等参照）。
【００５０】
上下回動レバー機構２３３は、支持本体２２から塵埃収容箱２３を容易に脱着可能とするための機構であって、図８〜図１３に示されるように、主に、上下回動レバー２３３Ａ、ロックユニット２３３Ｂおよび上述のバネ支持ピン部２３２ａから構成されている。
【００５１】
上下回動レバー２３３Ａは、図８〜図１３に示されるように、主に、操作レバー部２３３ａ、回転シャフト部２３３ｂおよび突起部２３３ｃから構成されている。操作レバー部２３３ａは、図８〜図１３に示されるように、略長方形の板状部位であって、回転シャフト部２３３ｂの中央部分の外周面の一部から外方に向かって延びている。なお、この操作レバー部２３３ａは、図９に示されるように、上述の機構収容部２３２の前面カバー２３２Ｃの開口ＯＰから斜め前上方に向かって突き出ている。また、この操作レバー部２３３ａは、塵埃収容箱部２３１およびサイドギア部２３５の色と異なった色で着色されている。これは、この操作レバー部２３３ａを他の部品よりも目立たせるためである。回転シャフト部２３３ｂは、図１１〜図１３に示されるように、塵埃収容箱２３の幅方向に向かって延びる軸体であって、上述の通り、機構収容部２３２内の支持爪部Ｒｓ，Ｒｃによって回転自在に支持されている。また、この回転シャフト部２３３ｂの先端部分は、図１１〜図１３に示されるように、ロックユニット２３３Ｂのスライダー部２３３ｄ（後述）に挿通されている。突起部２３３ｃは、図１１〜図１３に示されるように、回転シャフト部２３３ｂの先端部分の外表面から外方に向かって突出している。すなわち、この突起部２３３ｃは、ロックユニット２３３Ｂのスライダー部２３３ｄ（後述）の内部に位置することになる（図１１〜図１３参照）。
【００５２】
ロックユニット２３３Ｂは、図１１〜図１３に示されるように、主に、スライダー部２３３ｄ、バネ枠部２３３ｅおよび係合ピン部２３３ｆから構成されている。なお、スライダー部２３３ｄ、バネ枠部２３３ｅおよび係合ピン部２３３ｆは、樹脂成形体であって、一体化されている。スライダー部２３３ｄは、図１１〜図１３に示されるように、略方形状の枠体であって、主に、枠部２３３ｇおよび傾斜面形成部２３３ｈから構成されている。傾斜面形成部２３３ｈは、図１１〜図１３に示されるように、枠部２３３ｇ内に、正面視において内側から外側に向かうに従って下方に傾斜する傾斜面Ｐｓを形成している。バネ枠部２３３ｅは、図１１〜図１３に示されるように、略方形状の枠体であって、主に、枠部２３３ｉおよびバネ支持ピン部２３３ｊから構成されている。バネ支持ピン部２３３ｊは、図１２および図１３に示されるように、枠部２３３ｉの外側壁から内側に向かって延びるピン形状の部位であって、コイルバネＣＳの孔に挿通されることによってコイルバネＣＳの片側（外側）の端を支持する。なお、ここで、コイルバネＣＳは、上述の通り、内側端が機構収容部２３２のバネ支持ピン部２３２ａに支持されると共に（図１３参照）、外側端がバネ枠部２３３ｅのバネ支持ピン部２３３ｊに支持されている。そして、このコイルバネＣＳは、ロックユニット２３３Ｂを外側に向かって付勢している。係合ピン部２３３ｆは、塵埃収容箱２３を支持本体２２に係止させるための部位であって、支持本体２２の左側壁部２２３および右側壁部２２５の孔Ｂｌならびに開閉式軸受け２５の孔Ｂｃ（後述）に挿通可能な寸法とされている。なお、本実施の形態において、この係合ピン部２３３ｆは、塵埃収容箱２３の支持本体２２への取付方向に向かうに従って、すなわち、
前側から後側に向かうに従って先端が内側に傾斜している。そして、この係合ピン部２３３ｆは、使用者によって上下回動レバー２３３Ａの操作レバー部２３３ａが操作されない場合、機構収容部２３２の側面側の開口Ｏｒから突出した状態となっており（図１２参照）、使用者によって上下回動レバー２３３Ａの操作レバー部２３３ａが下方向に押し下げられると、機構収容部２３２の内側に引っ込む状態となる（図１３参照）。なお、この係合ピン部２３３ｆの出没の仕組みについては、以下、図１２および図１３を参照しながら詳細に説明する。
【００５３】
先ず、使用者が上下回動レバー２３３Ａの操作レバー部２３３ａに対して下方向の力を加えない場合、コイルバネＣＳがロックユニット２３３Ｂを外側に向かって付勢しているため、上下回動レバー機構２３３の回転シャフト部２３３ｂ上の突起部２３３ｃが、図１２に示されるようにロックユニット２３３Ｂのスライダー部２３３ｄの最内側に位置する状態となる。そして、このとき、上下回動レバー２３３Ａの操作レバー部２３３ａは、図１１および図１２に示されるように、斜め前上方に延びる状態となる。
【００５４】
一方、先の状態から、使用者が上下回動レバー２３３Ａの操作レバー部２３３ａを押し下げると、上下回動レバー機構２３３の回転シャフト部２３３ｂ上の突起部２３３ｃが回転軸周りに下方に向かって旋回し、その結果、コイルバネＣＳの付勢力に抗してロックユニット２３３Ｂが内側に引き込まれて、図１３に示される状態となる。なお、この状態において、回転シャフト部２３３ｂ上の突起部２３３ｃは、図１３に示されるようにロックユニット２３３Ｂのスライダー部２３３ｄの最外側に位置する状態となる。
【００５５】
ブラシ付ローラ２３４は、ローラの外周面にブラシを取り付けたものであって、塵埃収容箱部２３１の両側壁で回転可能に軸支されている。このブラシ付ローラ２３４は、集塵フィルタ上に堆積した塵埃を掻き取って、塵埃収容箱部２３１に回収するともに集塵フィルタ２１を清掃する役目を担っている。また、塵埃収容箱部２３１が支持本体２２に取り付けられた状態では、ブラシ付ローラ２３４は、図８に示されるように、フィルタ駆動ローラ２４と協同して集塵フィルタ２１の一部を挟み込む。
【００５６】
サイドギア部２３５は、図９および図１１に示されるように、塵埃収容箱部２３１から両側に突出するブラシ付ローラ２３４の軸部それぞれに取り付けられている。そして、塵埃収容箱部２３１が支持本体２２に取り付けられた状態において、駆動モータ設置側の領域（すなわち右側領域）に取り付けられた塵埃収容箱部２３１のサイドギア部２３５は、片方が駆動モータ２３Ｍのシャフト先端のギア（図示せず）に噛み合い、もう片方が動力中継部２６の中継ギア２６ａ（後述）に噛み合う。一方、駆動モータ非設置側の領域（すなわち左側領域）に取り付けられた塵埃収容箱部２３１のサイドギア部２３５は、片方が動力中継部２６の中継ギア２６ａ（後述）に噛み合うが、もう片方はフリーな状態となる。
【００５７】
（３−４）フィルタ駆動ローラ
フィルタ駆動ローラ２４は、図１６に示されるように、左右対称な形状を有するローラであって、主に、ローラ本体２４１、ピニオンギア部２４２、支持軸部２４３および連結部２４４から形成されている。ローラ本体２４１は、図８に示されるように、塵埃収容箱２３が支持本体２２に取り付けられている状態において、集塵フィルタ２１を挟んで塵埃収容箱２３のブラシ付ローラ２３４と対向しており、ブラシ付ローラ２３４の駆動によって巻き上がる塵埃が集塵フィルタ２１の裏側に飛散しないようにする役目を担っている。ピニオンギア部２４２は、図１６に示されるように、ローラ本体２４１の回転軸方向両側に配設されている。なお、このピニオンギア部２４２には、上述の通り、集塵フィルタ２１のラック部２１１ｃが嵌め合わせられる（図８参照）。支持軸部２４３は、図１６に示されるように、短長の円柱部位であって、ローラ本体２４１の回転軸に沿ってピニオンギ
ア部２４２の外面から外側に向かって延びている。そして、フィルタ駆動ローラ２４が開閉式軸受け２５によって支持される際、この支持軸部２４３の片側が開閉式軸受け２５によって支持されることになる。連結部２４４は、図１７に示されるように、側面視において略十字形状を呈しており、図１６に示されるように、ローラ本体２４１の回転軸に沿って支持軸部２４３の外面から外側に向かって延びている。そして、フィルタ駆動ローラ２４が駆動モータ２４Ｍのシャフト先端の連結片Ｐｒに連結される際、この連結部２４４の片側が連結片Ｐｒに連結されることになる。なお、この連結部２４４は、駆動モータ２４Ｍの連結片Ｐｒへ滑らかに連結する目的で、全面に亘って面取り処理が施されている。
【００５８】
（３−５）駆動モータ
駆動モータ２４Ｍは、正転・逆転切り換え可能なモータであって、上述の通り、フィルタ駆動ローラ２４を回転させることによって、集塵フィルタ２１を案内部ＧＤに沿って移動させる。なお、具体的には、駆動モータ２４Ｍが正転されると、集塵フィルタ２１は、平面視では支持本体２２の案内部ＧＤ（後述）に沿って前方に移動し、正面視では下方に移動する。その結果、集塵フィルタ２１上に堆積している塵埃が下から順にブラシ付ローラ２３４によって塵埃収容箱２３の塵埃収容箱部２３１に掻き落とされる。一方、駆動モータ２４Ｍが逆転されると、集塵フィルタ２１は、平面視では支持本体２２の案内部ＧＤ（後述）に沿って後方に移動し、正面視では上方に移動する。その結果、清掃済みの集塵フィルタ２１が規定の位置に戻される。
【００５９】
駆動モータ２３Ｍは、正転のみ可能なモータであって、清掃運転中、ブラシ付ローラ２３４を回転させ続ける。
【００６０】
（３−６）開閉式軸受け
開閉式軸受け２５は、図１４および図１５に示されるように、主に、軸受け部２５１、上側被係止片２５２および回動片２５３から構成されている。軸受け部２５１は、図１４および図１５に示されるように、支持本体２２の中央壁部２２４の下部に形成されている。そして、この軸受け部２５１には、フィルタ駆動ローラ２４の支持軸部２４３を収容可能な窪みＣｖが形成されている。上側被係止片２５２は、図１４および図１５に示されるように、帯状の湾曲板部材であって、支持本体２２の中央壁部２２４の上に取り付けられている。そして、この上側被係止片２５２の最下部の先端に被係止部２５２ａが形成されている。回動片２５３は、図１４および図１５に示されるように、軸受け部２５１の下部に回動自在に軸支されている。この回動片２５３の上端には、係止部２５３ａが形成されている。そして、この回動片２５３を最上位位置まで回動させると、係止部２５３ａが被係止部２５１ａに係止する。また、この回動片２５３には、図７、図１４および図１５に示されるように、塵埃収容箱２３の係合ピン部２３３ｆ（後述）と嵌合可能な孔Ｂｃが形成されている。そして、回動片２５３が被係止部２５２ａに係止されている状態になって、はじめて、この孔に係合ピン部２３３ｆを嵌め込むことが可能となる。また、この回動片２５３は、軸受け部２５１、上側被係止片２５２の色と異なった色で着色されている。これは、この回動片２５３を他の部品よりも目立たせるためである。
【００６１】
（３−７）動力中継部
動力中継部２６は、図７に示されるように、主に、中継ギア２６１および軸受け部２６２から構成される。中継ギア２６１は、フィルタ駆動ローラ２４のピニオンギア部２４２と噛み合い可能なギアである。軸受け部２６２は、中継ギア２６１を回転自在に軸支している。すなわち、この中継ギア２６１は、駆動モータ設置側の領域で駆動モータ２３Ｍによって回転駆動させられる塵埃収容箱２３のブラシ付ローラ２３４の回転動力を、駆動モータ非設置側の領域の塵埃収容箱２３のブラシ付ローラ２３４に伝達させる役割を果たす。
【００６２】
（４）電装品ユニット
電装品ユニット４０は、図４に示されるように、主に、中央処理演算部４２、赤外線受光部４３および通信部４１から構成されている。これらのコンポーネント４１〜４３は、相互にバス接続されている。また、この電装品ユニット４０は、図４に示されるように、通信線Ｌｃ（図４参照）を介してクロスフローファン３２の駆動モータ３２Ｍ、フラップ１５の駆動モータ１５Ｍ、ブラシ付ローラ２３４の駆動モータ２３Ｍ、フィルタ駆動ローラ２４の駆動モータ２４Ｍおよび温度検出器ＴＨに通信接続されている。中央処理演算部４２は、随時、リモートコントローラ５０（図４参照）からの制御信号や、温度検出器ＴＨの出力情報等を演算処理して適切な制御パラメータを導出し、その制御パラメータ等を、通信部４１を介してクロスフローファン３２の駆動モータ３２Ｍ、フラップ１５の駆動モータ１５Ｍ、ブラシ付ローラ２３４の駆動モータ２３Ｍ、フィルタ駆動ローラ２４の駆動モータ２４Ｍに送信する。また、中央処理演算部４２は、必要に応じて、通信部４１を介して制御パラメータ等を室外機の電装品ユニット（図示せず）に送信したり、室外機の電装品ユニットから制御パラメータ等を受信したりする。赤外線受光部４３は、リモートコントローラ５０から発生される点滅赤外線を受光するものである。この赤外線受光部４３は、点滅赤外線を信号化処理し、生成した信号を中央処理演算部４２に送信する。
【００６３】
＜塵埃収容箱の取付方法および取外方法＞
（１）取付方法
作業者は、塵埃収容箱２３を支持本体２２の底支持部２２６の右側領域か左側領域に載せ、塵埃収容箱２３を奥側に押し込む。すると、先ず、塵埃収容箱２３の上下回動レバー機構２３３の係合ピン部２３３ｆの先端面が、支持本体２２の左側壁部２２３か右側壁部２２５と回動片２５３とに当接する。そして、そこからさらに作業者が塵埃収容箱２３を奥側に押し込むと、係合ピン部２３３ｆがコイルバネＣＳの付勢力に抗して塵埃収容箱２３の内側に向かって移動し、係合ピン部２３３ｆがほぼ完全に塵埃収容箱２３内に没する。なお、このとき、係合ピン部２３３ｆの先端形状により、係合ピン部２３３ｆが滑らかに内側に向かって移動する。そして、この状態で、作業者がさらに塵埃収容箱２３を奥側に押し込むと、塵埃収容箱２３が奥側に移動していき、係合ピン部２３３ｆが支持本体２２の左側壁部２２３か右側壁部２２５の孔Ｂｌと回動片２５３の孔Ｂｃとに対向する位置まできたところで、コイルバネＣＳの付勢力によって係合ピン部２３３ｆが塵埃収容箱２３の外側に押し出されて孔Ｂｃ，Ｂｌに挿入する。このようにして、係合ピン部２３３ｆと孔Ｂｃ，Ｂｌによって係止構造が形成されて、塵埃収容箱２３が支持本体２２に装着（係止）される。
【００６４】
（２）取外方法
作業者は、底支持部２２６の切欠きＲＣによって露出している塵埃収容箱２３の底面を親指で支えた状態で塵埃収容箱２３の操作レバー部２３３ａを下方に回動させた後、そのまま塵埃収容箱２３を手前に引けば、支持本体２２から塵埃収容箱２３を取り外すことができる。なお、上述の通り、作業者により塵埃収容箱２３の操作レバー部２３３ａが最下端まで回動させられたとき、係合ピン部２３３ｆは機構収容部２３２に没した状態、すなわち、係止構造が完全に解除された状態となっている。
【００６５】
＜フィルタ駆動ローラの取付方法および取外方法＞
（１）取付方法
作業者は、先ず、被係止部２５２ａから係止部２５３ａを取り外して回動片２５３を下方に回動させて開閉式軸受け２５を開状態とする。次に、作業者は、フィルタ駆動ローラ２４の連結部２４４を駆動モータ２４Ｍの連結片Ｐｃに連結させる。続いて、作業者は、フィルタ駆動ローラ２４の支持軸部２４３を軸受け部２５１の窪みＣｖに挿入する。最後に、作業者は、回動片２５３を最上位位置まで回動させて係止部２５３ａを被係止部２５２ａに係止する。これで、開閉式軸受け２５にフィルタ駆動ローラ２４が取り付けられる
。
【００６６】
（２）取外方法
開閉式軸受け２５からフィルタ駆動ローラ２４を取り外すためには、取付方法と全く逆の手順を踏めばよい。すなわち、先ずは、作業者は、被係止部２５２ａから係止部２５３ａを取り外して回動片２５３を下方に回動させて開閉式軸受け２５を開状態とする。次に、作業者は、フィルタ駆動ローラ２４の支持軸部２４３を軸受け部２５１の窪みＣｖから抜き取る。続いて、作業者は、フィルタ駆動ローラ２４の連結部２４４を駆動モータ２４Ｍの連結片Ｐｃから抜き取る。これで、開閉式軸受け２５からフィルタ駆動ローラ２４が抜き取られる。
【００６７】
＜第１の実施の形態にかかる室内機の特徴＞
（１）
本実施の形態にかかる室内機１では、作業者が底支持部２２６の切欠きＲＣによって露出している塵埃収容箱２３の底面を親指で支えた状態で塵埃収容箱２３の操作レバー部２３３ａを下方に回動させた後、そのまま塵埃収容箱２３を手前に引けば、支持本体２２から塵埃収容箱２３を取り外すことができる。このため、この室内機１が比較的高所に設置されている場合であっても、使用者は、従前よりも容易かつ安全に塵埃収容箱２３を取り外すことができる。
【００６８】
（２）
本実施の形態にかかる室内機１では、作業者が塵埃収容箱２３を支持本体２２の底支持部２２６の右側領域か左側領域に載せ、塵埃収容箱２３を奥側に押し込むだけで、塵埃収容箱２３を支持本体２２に取り付けることができる。このため、この室内機１が比較的高所に設置されている場合であっても、使用者は、容易かつ安全に塵埃収容箱２３を支持本体２２に取り付けることができる。
【００６９】
（３）
本実施の形態にかかる室内機１では、支持本体２２への塵埃収容箱２３の取付構造として、比較的シンプルな構造を有する上下回動レバー機構２３３を利用している。このため、室内機１のコスト増加を抑制することができる。
【００７０】
（４）
本実施の形態にかかる室内機１では、係合ピン部２３３ｆの先端が、前側から後側に向かうに従って内側に傾斜している。このため、この室内機１では、作業者によって塵埃収容箱２３が支持本体２２に取り付けられる際、係合ピン部２３３ｆが滑らかに内側に向かって移動する。このため、この室内機１では、作業者は、塵埃収容箱２３を奥側に向かって押し込みやすくなる。
【００７１】
（５）
本実施の形態にかかる室内機１では、塵埃収容箱２３が支持本体２２に取り付けられた状態において、上下回動レバー機構２３３の係合ピン部２３３ｆがブラシ付ローラ２３４よりも上側に位置すると共に（図９参照）、塵埃収容箱２３の底が支持本体２２の底支持部２２６によって支持されている。このため、この室内機１では、ブラシ付ローラ２３４が回転駆動されている際でも塵埃収容箱２３を安定的に固定することができる。
【００７２】
（６）
本実施の形態にかかる室内機１では、集塵フィルタユニット２０からフィルタ駆動ローラ２４を取り外すことができる。このため、この室内機１では、フィルタ駆動ローラ２４を洗面台等で洗浄等することができる。
【００７３】
（７）
本実施の形態にかかる室内機１では、集塵フィルタユニット２０のフィルタ駆動ローラ２４が左右対称形状を呈する。このため、この室内機１では、使用者がフィルタ駆動ローラ２４を誤装着することを防止することができる。
【００７４】
（８）
本実施の形態にかかる室内機１では、集塵フィルタユニット２０のフィルタ駆動ローラ２４が端部に支持軸部２４３および連結部２４４を有している。このため、この室内機１では、フィルタ駆動ローラ２４およびその受け部の設計の自由度が高くなる。
【００７５】
（９）
本実施の形態にかかる室内機１では、集塵フィルタユニット２０において、互いの回転軸が同一線上にのるように２つのフィルタ駆動ローラ２４が配設されている。そして、この集塵フィルタユニット２０では、開閉式軸受け２５が１つだけ存在し、その開閉式軸受け２５により２つの軸部分が共に支持される。このため、この集塵フィルタユニット２０では、３つの操作、すなわち、片方のフィルタ駆動ローラ２４を駆動モータ２４Ｍの連結片Ｐｒに装着する操作、もう片方のフィルタ駆動ローラ２４を反対側の駆動モータ２４Ｍの連結片Ｐｒに装着する操作、前述の２つのフィルタ駆動ローラ２４を開閉式軸受け２５に装着する操作を行うことによって、２つのフィルタ駆動ローラ２４を支持本体２２に取り付けることができる。このため、この室内機１では、使用者によるフィルタ駆動ローラ２４の取付の手間を軽減することができる。
【００７６】
（１０）
本実施の形態にかかる室内機１では、集塵フィルタユニット２０において操作部位（上下回動レバー機構２３３の操作レバー部２３３ａ，開閉式軸受け２５の回動片２５３等）が他の部位よりも目立つように、操作部位が他の部位とは異なる色で着色されている。このため、作業者は、容易に操作部位を認識することができ、塵埃収容箱２３やフィルタ駆動ローラ２４の取外し作業を手際よく行うことができる。
【００７７】
−第２の実施の形態−
第２の実施の形態にかかる室内機は、係合ピン部２３３ｆの出没を実現するための機構でのみ第１の実施の形態にかかる室内機１と相違する。このため、本実施の形態にかかる室内機については、この点についてのみ説明を行う。
【００７８】
本実施の形態に係る室内機では、上下回動レバー機構２３３に代えて押しボタン機構が採用される。この押しボタン機構は、上下回動レバー２３３Ａから操作レバー部２３３ａを省き、回転シャフト部２３３ｂの略中央部にピニオンを取り付け、押しボタンおよびラック部をさらに追加した以外は先の実施の形態に係る上下回動レバー機構２３３の構造とほぼ同一である。なお、ここで、ラック部は、押しボタンから下方に向かって延びており、回転シャフト部２３３ｂのピニオンに噛み合っている。したがって、使用者によって押しボタンが押し下げられると、ラック部の下方移動によって同ピニオンが回転して回転シャフト部２３３ｂが回転することになる。
【００７９】
−第３の実施の形態−
第３の実施の形態にかかる室内機は、先の実施の形態のブラシ付ローラ２３４のようにフィルタ駆動ローラ２４が一つの駆動モータで回転駆動される点でのみ第１の実施の形態にかかる室内機１と相違する。
【００８０】
この実施の形態に係る室内機では、フィルタ駆動ローラ２４用に動力中継部が設けられ
る。なお、このような態様は、第２の実施の形態にも適用可能である。
【００８１】
−第４の実施の形態−
第４の実施の形態にかかる室内機は、塵埃収容箱２３の支持本体２２への取付態様でのみ第１の実施の形態にかかる室内機１と相違する。このため、本実施の形態にかかる室内機については、同態様についてのみ説明を行う。
【００８２】
本実施の形態に係る室内機では、先の実施の形態に係る上下回動レバー機構２３３に代えて他の型の上下回動レバー機構が採用される。この他の型の上下回動レバー機構では、先の実施の形態に係る上下回動レバー機構２３３からロックユニット２３３Ｂが省かれている。また、上下回動レバー２３３Ａは、コイルスプリングによって上方向に付勢されている。そして、さらに、回転シャフト部２３３ｂの外周面から延びる爪部付の一対のアーム部が付加されており、そのアーム部が塵埃収容箱２３の背壁を貫通して外まで延びている。すなわち、操作レバー部２３３ａがコイルバネの付勢力に抗して下方に回動させられると、そのアーム部が上方に移動する。そして、操作レバー部２３３ａから手を放すと、コイルバネの付勢力によって操作レバー部２３３ａが上方向に回動すると共に、そのアーム部が下方に移動する。そして、本実施の形態に係る室内機では、支持本体２２の本体部２２１の下部であってアーム部と対向する位置に、アーム部の爪部と係止可能な縦長穴が形成されている。この縦長穴は、操作レバー部２３３ａに下方の力が加えられていないときのアーム部の爪部の上端が、縦長穴の下端よりも僅かに高くなるように設計されている。このため、塵埃収容箱２３が支持本体２２に押し込まれると、爪部が縦長穴の下端に当接し、コイルバネの付勢力に抗してアーム部が僅かに持ち上げられ、爪部が縦長穴の最奥まで進むと、コイル弁の付勢力によってアーム部が元の位置に戻り、爪部が縦長穴の下部壁に係止される状態となる。これを解除するためには、作業者は、操作レバー部２３３ａを下方に押し下げたまま塵埃収容箱２３を支持本体２２から引き抜けばよい。
【００８３】
−第５の実施の形態−
第５の実施の形態にかかる室内機は、操作レバー部の初期角度でのみ第１の実施の形態にかかる室内機１と相違する。このため、本実施の形態にかかる室内機については、その点についてのみ説明を行う。
【００８４】
本実施の形態に係る室内機では、塵埃収容箱２３が支持本体２２に取り付けられた状態で操作レバー部が、軸を含む水平面よりも下側に位置する。このようにすれば、背の低い作業者であっても塵埃収容箱２３の取外作業を楽に行うことができる。なお、このような態様は、第２〜第４の実施の形態にも適用可能である。
【００８５】
−第６の実施の形態−
第６の実施の形態にかかる室内機は、フィルタ駆動ローラ２４の設置本数でのみ第１の実施の形態にかかる室内機１と相違する。このため、本実施の形態にかかる室内機については、この点についてのみ説明を行う。
【００８６】
この実施の形態に係る室内機では、フィルタ駆動ローラ２４の設置本数は１本であってもよいし、３本以上であってもよい。なお、フィルタ駆動ローラ２４の設置本数が１本である場合、支持本体２２の駆動モータ２４Ｍはいずれか１つのみ設けられ得ればよく、その反対側の側壁部２２３，２２５に開閉式軸受け２５が設置されることになる。一方、フィルタ駆動ローラ２４の設置本数が３本以上である場合、中央のフィルタ駆動ローラ２４は、少なくとも左右いずれかのフィルタ駆動ローラ２４に連結される必要がある。なお、このような態様は、第２〜第５の実施の形態にも適用可能である。
【００８７】
−第７の実施の形態−
第７の実施の形態にかかる室内機は、フィルタ駆動ローラの形状でのみ第１の実施の形態にかかる室内機１と相違する。このため、本実施の形態にかかる室内機については、この点についてのみ説明を行う。
【００８８】
この実施の形態に係る室内機では、フィルタ駆動ローラの形状が非対称形状とされている。具体的には、フィルタ駆動ローラ２４の片側の連結部２４４が省略されている。なお、このような態様は、第２〜第６の実施の形態にも適用可能である。
【００８９】
−第８の実施の形態−
第８の実施の形態にかかる室内機は、支持本体２２の底支持部２２６における切欠きＲＣおよび爪部２２６ａの有無で第１の実施の形態にかかる室内機１と相違する。このため、本実施の形態にかかる室内機については、この点についてのみ説明を行う。
【００９０】
この実施の形態に係る室内機では、支持本体２２の底支持部２２６に切欠きＲＣおよび爪部２２６ａが形成されていない。なお、このような態様は、第２〜第７の実施の形態にも適用可能である。
【００９１】
−第９の実施の形態−
第９の実施の形態にかかる室内機は、塵埃収容箱２３の設置数でのみ第１の実施の形態にかかる室内機１と相違する。このため、本実施の形態にかかる室内機については、この点についてのみ説明を行う。
【００９２】
この実施の形態に係る室内機では、塵埃収容箱２３の設置数は１個であってもよいし、３個以上であってもよい。なお、塵埃収容箱２３の設置数が１本である場合、動力中継部２６は省かれる。一方、塵埃収容箱２３の設置数が３個以上である場合、その間々に動力中継部２６を追加する必要がある。なお、このような態様は、第２〜第８の実施の形態にも適用可能である。
【００９３】
−第１０の実施の形態−
第１０の実施の形態にかかる室内機は、先の実施の形態のフィルタ駆動ローラ２４のように各塵埃収容箱２３のブラシ付ローラ２３４がそれぞれ独立して回転駆動させられる点でのみ第１の実施の形態にかかる室内機１と相違する。このため、本実施の形態にかかる室内機については、この点についてのみ説明を行う。
【００９４】
この実施の形態に係る室内機では、左側壁部２２３にも駆動モータ２３Ｍが設置される。なお、このような態様は、第２〜第９の実施の形態にも適用可能である。
【００９５】
−第１１の実施の形態−
第１１の実施の形態にかかる室内機は、フィルタ駆動ローラへの集塵フィルタの取付態様でのみ第１の実施の形態にかかる室内機１と相違する。このため、本実施の形態にかかる室内機については、同態様についてのみ説明を行う。
【００９６】
本実施の形態に係る室内機では、集塵フィルタ２１の大外枠部２１１ａの左右の縁部分に複数の独立開口が整列して形成され、この独立開口にフィルタ駆動ローラ２４のピニオンギア部２４２の山部が入り込む。なお、このような態様は、第２〜第１０の実施の形態にも適用可能である。また、フィルタ駆動ローラへの集塵フィルタの取付態様として、他の機構を利用した取付態様が採用されてもよい。
【００９７】
−第１２の実施の形態−
第１２の実施の形態にかかる室内機は、１つの駆動モータだけで全てのローラ２４，２
３４が回転駆動させられる点でのみ第１の実施の形態にかかる室内機１と相違する。このため、本実施の形態にかかる室内機については、この点についてのみ説明を行う。
【００９８】
この実施の形態に係る室内機では、先の実施の形態のいずれか１つの駆動モータ２３Ｍ，２４Ｍのみを残し、右側領域においてブラシ付ローラ２３４の回転軸をベルト回転機構でフィルタ駆動ローラ２４の回転軸に連結する。なお、このような態様は、第２〜第１１の実施の形態にも適用可能である。
【００９９】
−第１３の実施の形態−
第１３の実施の形態にかかる室内機は、ブラシ付ローラ２３４に代えて吸引器が採用される点でのみ第１の実施の形態にかかる室内機１と相違する。このため、本実施の形態にかかる室内機については、この点についてのみ説明を行う。
【０１００】
この実施の形態に係る室内機では、先の実施の形態に係るブラシ付ローラ２３４が吸引器に置き換えられる。なお、この吸引器に吸引された塵埃は、ダクトを介して塵埃収容箱部２３１に送られる。なお、このような態様は、第２〜第１２の実施の形態にも適用可能である。
【０１０１】
−第１４の実施の形態−
第１４の実施の形態にかかる室内機は、片側の係合ピン部が固定ピンとなっており、もう片側の係合ピン部が先の実施の形態の係合ピン部２３３ｆと同様に出没可能となっている点でのみ第１の実施の形態にかかる室内機１と相違する。なお、このような態様は、第２〜第１３の実施の形態にも適用可能である。
【０１０２】
−第１５の実施の形態−
第１５の実施の形態にかかる室内機は、係合ピン部にたわみ性があり、このたわみ性を利用して塵埃収容箱２３を支持本体２２に取り付ける点でのみ第１の実施の形態にかかる室内機１と相違する。なお、このような態様は、第２〜第１４の実施の形態にも適用可能である。
【０１０３】
−第１６の実施の形態−
第１６の実施の形態にかかる室内機は、塵埃収容箱２３が支持本体２２に取り付けられた状態において、上下回動レバー機構２３３の係合ピン部２３３ｆがブラシ付ローラ２３４よりも下側に位置する点でのみ第１の実施の形態にかかる室内機１と相違する。なお、このような態様は、第２〜第１５の実施の形態にも適用可能である。
【０１０４】
−第１７の実施の形態−
第１７の実施の形態にかかる室内機は、係合ピン部２３３ｆの先端が丸められている点でのみ第１の実施の形態にかかる室内機１と相違する。なお、このような態様は、第２〜第１６の実施の形態にも適用可能である。
【０１０５】
−その他の応用例−
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。例えば、実施の形態では空気調和機の室内機にて本発明を説明したが、本発明は、通常の空気清浄器や、加湿機能付き空気清浄器、除湿機能付き空気清浄器、除加湿機能付き空気清浄器等にも適用することができる。
【符号の説明】
【０１０６】
２０      集塵フィルタユニット（空気清浄機構）
２１      集塵フィルタ（塵埃捕集部）
２２      支持本体（本体）
２３      塵埃収容箱
２４      フィルタ駆動ローラ（被駆動体，ローラ）
２４Ｍ    駆動モータ（駆動源）
２５      開閉式軸受け（支持部）
２２６      底支持部
２３１      塵埃収容箱部（塵埃収容部）
２３３ａ    操作レバー部（操作部）
２３３ｆ    係合ピン部（係止部）
２３４      ブラシ付ローラ（塵埃除去部）
２４２      ピニオンギア部（係合部）
２４３      支持軸部（第１軸部分，第２軸部分，支持軸部分）
２４４      連結部（第１軸部分，第２軸部分，連結軸部分）
Ｂｌ        孔（被係止部，開口）
Ｂｃ        孔（被係止部，開口）
ＲＣ        切欠き
【図１】
2018200170.tif 000003
【図２】
2018200170.tif 000004
【図３】
2018200170.tif 000005
【図４】
2018200170.tif 000006
【図５】
2018200170.tif 000007
【図６】
2018200170.tif 000008
【図７】
2018200170.tif 000009
【図８】
2018200170.tif 000010
【図９】
2018200170.tif 000011
【図１０】
2018200170.tif 000012
【図１１】
2018200170.tif 000013
【図１２】
2018200170.tif 000014
【図１３】
2018200170.tif 000015
【図１４】
2018200170.tif 000016
【図１５】
2018200170.tif 000017
【図１６】
2018200170.tif 000018
【図１７】
2018200170.tif 000019